(57)【特許請求の範囲】
【請求項１】
外装体と、該外装体の内面側に固定された吸収性本体とを備え、腹側部と背側部の間を股部を介して延びる縦方向とこれに交差する横方向を有し、ウエスト開口部とレッグ開口部とを備えたパンツ型吸収性物品であって、
前記外装体は、外表面を形成する外層シート及び該外層シートよりも内側に位置する内層シートを有しており、
前記腹側部は、ウエスト開口縁を含むウエスト領域と、該ウエスト領域に隣接し且つ該ウエスト領域よりも股部側に位置する胴回り領域とを有しており、該胴回り領域は、前記外層シートと前記内層シートとの間が非接合状態となっている上腹部領域を有し、
前記上腹部領域においては、前記内層シートに弾性部材が前記横方向に延びて固定され、かつ前記外層シートが伸縮性を有しており、
前記ウエスト領域には、前記外層シートとは別にウエスト部形成シートが配されており、
前記ウエスト領域においては、二つ折りにされた前記ウエスト部形成シートの内側に、ウエスト弾性部材が前記横方向に伸長させた状態で固定されており
前記ウエスト部形成シートの２つの端部のうちの一方の端部が前記外層シートの上端部と固定されている、パンツ型吸収性物品。
【請求項２】
前記上腹部領域が、着用者の腸骨稜から上前腸骨棘にかけての部位に当接する部位に形成されている請求項１に記載のパンツ型吸収性物品。
【請求項３】
前記弾性部材が、前記上腹部領域のうち、着用者の腸骨稜から上前腸骨棘にかけての部位に当接する部位にのみ配置されている請求項２に記載のパンツ型吸収性物品。
【請求項４】
前記外層シートが、少なくとも前記腹側部に配置された伸縮性を有する第１外層シートと、前記股部に配置された第２外層シートとを有している請求項１ないし３のいずれか一項に記載のパンツ型吸収性物品。
【請求項５】
前記外装体は、前記腹側部及び前記背側部に配置され、かつ前記股部には配置されていない請求項１ないし３のいずれか一項に記載のパンツ型吸収性物品。
【発明の詳細な説明】
【技術分野】
【０００１】
本発明はパンツ型吸収性物品に関する。
【背景技術】
【０００２】
従来、パンツ型の使い捨ておむつにおいて、胴回り部に配する胴回り部弾性部材をおむつの外表面を形成する最外層シート以外の部材に固定し、その胴回り弾性部材と最外層シートとの間に非接合領域を設けることによって最外層シートの内方にギャザーを形成する一方、胴回り部の外表面にはギャザーが形成されないようにする技術が知られている（特許文献１参照）。この種のパンツ型の使い捨ておむつには胴回り部の外表面にギャザーが形成されていないので、すっきりとした外観を呈するという利点がある。
【０００３】
一方、最外層シートとして伸縮性を有するシートを用いたパンツ型の使い捨ておむつとしては、例えば特許文献２に記載のものが知られている。同文献に記載のおむつは、その外装体が伸縮シートと該伸縮シートに接合された非伸縮シートとを備えた伸縮性複合部を有している。伸縮シートとしては例えば、互いに交差せずに一方向に延びるように配列した多数の弾性フィラメントが、実質的に非伸長状態で、それらの全長にわたり伸長可能な不織布に接合されているものが用いられている。この構成のおむつは着用者の肌に接する面側に形成される凸条部によってクッション性を与えるとともに、高さの抑制された凸条部が外側面に配されるので、見た目のモコモコ感が減じられ、下着様の外観及び感触を実現することが可能となるという利点も有する。
【先行技術文献】
【特許文献】
【０００４】
【特許文献１】特開平１１−４８５３号公報
【特許文献２】特開２０１０−２８４２２８号公報
【発明の概要】
【発明が解決しようとする課題】
【０００５】
しかし、特許文献１に記載のおむつは最外層シートとして非伸縮性のシートを用いているので、実際は十分な伸縮性を有しているのにもかかわらず、おむつが伸縮性を有しているとの印象を使用者に与えづらいことがある。また、最外層シートが伸縮しないことに起因しておむつ全体のサイズが大きいとの印象を使用者に与えることがある。
【０００６】
また特許文献２に記載のおむつでは、前記伸縮性複合部による収縮力だけでおむつのフィット性を確保しようとした場合、胴回り部の収縮力が十分でなく、おむつの装着状態において、使用者の動作等に起因しておむつの位置ずれが起こる可能性がある。
【０００７】
本発明の課題は、前述した従来技術よりも外観やフィット性が向上したパンツ型吸収性物品を提供することにある。
【課題を解決するための手段】
【０００８】
本発明は、外装体と、該外装体の内面側に固定された吸収性本体とを備え、腹側部と背側部の間を股部を介して延びる縦方向とこれに交差する横方向を有し、ウエスト開口部とレッグ開口部とを備えたパンツ型吸収性物品であって、前記外装体は、外表面を形成する外層シート及び該外層シートよりも内側に位置する内層シートを有しており、前記腹側部は、前記ウエスト開口部と前記レッグ開口部との間に前記横方向に延びる胴回り領域を有しており、該胴回り領域は、前記外層シートと前記内層シートとの間が非接合状態となっている上腹部領域を有し、前記上腹部領域においては、前記内層シートに弾性部材が前記横方向に延びて固定され、かつ前記外層シートが伸縮性を有している、パンツ型吸収性物品を提供するものである。
【発明の効果】
【０００９】
本発明によれば、下着様の外観を有し、かつ胴回り部におけるフィット性に優れたパンツ型吸収性物品が提供される。
【図面の簡単な説明】
【００１０】
【図１】図１は、本発明のパンツ型吸収性物品の第１実施形態としてパンツ型使い捨ておむつを示す斜視図である。
【図２】図２は、図１に示すおむつを伸長させて拡げた状態を表面シート側から見た展開平面図である。
【図３】図３は、図１に示すおむつに用いられる外装体を伸長させて拡げた状態を外面側から見た展開平面図である。
【図４】図４は、図２におけるIV−IV線断面図である。
【図５】図５は、上前腸骨棘及び腸骨稜の位置を示す人体図である。
【図６】図６は、本発明のパンツ型吸収性物品の第２実施形態としてのパンツ型使い捨ておむつを伸長させて拡げた状態を表面シート側から見た展開平面図である。
【図７】図７は、図６におけるVII−VII線断面図である。
【図８】図８は、図６におけるVIII−VIII線断面図である。
【図９】図９は、本発明のパンツ型吸収性物品の第３実施形態としてのパンツ型使い捨ておむつを示す斜視図である。
【図１０】図１０は、図９に示すおむつを伸長させて拡げた状態を表面シート側から見た展開平面図である。
【図１１】図１１は、図１０におけるXI−XI線断面図である。
【図１２】図１２（ａ）及び図１２（ｂ）は、本発明のパンツ型吸収性物品の別の実施形態を示す展開平面図である。
【発明を実施するための形態】
【００１１】
以下本発明を、その好ましい実施形態に基づき図面を参照しながら説明する。図１ないし図４には、本発明の第１実施形態としてのパンツ型使い捨ておむつ１（以下、「おむつ１」ともいう）が示されている。おむつ１は、外装体１１と、該外装体１１の内面側に固定された吸収体４を含む吸収性本体１０とを備えている。またおむつ１は、着用時に着用者の腹側に配される腹側部Ａ、着用時に着用者の背側に配される背側部Ｂ、及び腹側部Ａと背側部Ｂとの間に位置して、着用時に着用者の股間部に配される股部Ｃを有している。
【００１２】
おむつ１は、腹側部Ａと背側部Ｂとの間を、股部Ｃを介して延びる縦方向と縦方向に交差する横方向とを有している。各図中に示すＹ方向が縦方向であり、各図中に示すＸ方向が横方向である。図２に示すように、展開かつ伸長状態のおむつ１において、おむつ１における横方向Ｘは、縦方向Ｙと直交している。
【００１３】
腹側部Ａ及び背側部Ｂのそれぞれにおいて、パンツ型吸収性物品の縦方向は着用時の上下方向であるため、本明細書においては腹側部Ａ及び背側部Ｂの縦方向に関し、ウエスト開口縁Ｗ側を上、股部Ｃ側を下とも表現する。また、本明細書において「肌対向面」とは、吸収性本体１０などの各部材の表裏両面のうち着用時に着用者の肌側に配される面であり、「非肌対向面」とは、吸収性本体１０などの各部材の表裏両面のうち着用時に着用者の肌側とは反対側に向けられる面である。
【００１４】
吸収性本体１０は、図２及び図４に示す通りおむつ１の縦方向Ｙと同方向に長い略矩形状をしている。吸収性本体１０は、液透過性の表面シート２、液不透過性又は液難透過性（撥水性等）の裏面シート３及び両シート２，３間に介在配置された液保持性の吸収体４を有している。表面シート２及び裏面シート３は吸収体４の各面を被覆し、かつ吸収体４の外縁から外方に延出している。
【００１５】
また吸収性本体１０には、図２に示す通り縦方向Ｙに沿う左右両側に、液抵抗性ないし撥水性でかつ通気性の素材から構成された側方カフス８，８が形成されている。各側方カフス８の自由端部の近傍には複数の側方カフス弾性部材８１が伸長状態で配されている。側方カフス８はおむつ着用時に起立して液の側方への流出を阻止する。
【００１６】
吸収性本体１０の裏面シート３側に配置された外装体１１は、おむつ１の外表面を形成する外層シート１２を有している。外層シート１２は、図３に示す通り第１外層シート１２ａと第２外層シート１２ｂとから構成されている。第１外層シート１２ａはおむつ１の腹側部Ａに対応する位置に配置されている。また第１外層シート１２ａはおむつ１の背側部Ｂに対応する位置にも配置されている。一方、第２外層シート１２ｂはおむつ１の股部Ｃに対応する位置に配置されている。第１外層シート１２ａと第２外層シート１２ｂとは、図４に示す通り腹側部Ａと股部Ｃとの境界において重なり部を有しており、該重なり部においてホットメルト粘着剤（図示せず）等の接合手段によって接合されている。図４に示す重なり部においては、第１外層シート１２ａが第２外層シート１２ｂの上に重なるように配置されている。尤も両者の重なり合いの関係はこれに限られず、図４とは反対に、第２外層シート１２ｂが第１外層シート１２ａの上に重なるように配置されていてもよい。図示していないが、背側部Ｂと股部Ｃとの境界の構成も腹側部Ａと股部Ｃとの境界の構成と同様となっている。
【００１７】
第１外層シート１２ａは、(i)一枚のシート材料から構成されているか、(ii)複数枚のシート材料の積層体から構成されているか、又は(iii)一枚若しくは複数枚のシートと、一本若しくは複数本の糸状若しくは帯状の弾性部材との複合体から構成されている。いずれの場合も、第１外層シート１２ａは上腹部において伸縮性を有しており、下腹部においては伸縮性を有していても、有していなくても良い。なお、本実施形態では上腹部と下腹部双方において第１外層シート１２ａは伸縮性を有している。伸縮性はおむつ１の少なくとも横方向Ｘに発現することが好ましい。更に好ましくは横方向Ｘ及び縦方向Ｙの二方向に発現し、一層好ましくは横方向Ｘ及び縦方向Ｙを含むＸＹ平面内のあらゆる方向に発現する。伸長性を有する第１外層シート１２ａは、その自然状態（弛緩状態）でおむつ１に組み込まれてもよく、あるいは伸長状態でおむつ１に組み込まれてもよい。
【００１８】
第１外層シート１２ａが(i)の場合には、一枚のシート材料が弾性樹脂等の弾性材料を含み伸縮性を有している。そのような第１外層シート１２ａとしては、例えば弾性繊維を含む不織布若しくは織布、又は弾性樹脂を含むフィルム等が挙げられる。
【００１９】
(ii)の場合には、複数枚のシート材料のうちの少なくとも一枚が弾性樹脂等の弾性材料を含んで伸縮性を有し、他のシート材料が少なくとも伸長性を有している。そのような第１外層シート１２ａとしては、例えば、弾性繊維層の少なくとも一面に実質的に非弾性の非弾性繊維層が配され、両繊維層は、弾性繊維層の構成繊維が繊維形態を保った状態で繊維交点の熱融着によって全面接合されており、非弾性繊維層の構成繊維の一部が弾性繊維層に入り込んだ状態、及び／又は、弾性繊維層の構成繊維の一部が非弾性繊維層に入り込んだ状態になっている伸縮性不織布が挙げられる。そのような伸縮性不織布としては、例えば本出願人の先の出願に係る特開２００７−１３８３７４号公報に記載のもの等が挙げられる。
【００２０】
(iii)の場合には、一枚のシート材料の一方の面に、又は二枚のシート材料の間に一本若しくは複数の弾性部材が接合されて、第１外層シート１２ａが構成されている。(iii)の場合、伸縮性及び伸長性を有さないシート材料に前記弾性部材が伸長状態で接合されている形態と、少なくとも伸長性を有するシート材料に前記弾性部材が自然状態（弛緩状態）で接合されている形態とがあり、本発明ではいずれの形態も用いることができるが、後者の形態の方が、おむつ１がより下着様の外観となり、すっきりとして見えるので好ましい。後者の形態を有する第１外層シート１２ａとしては、互いに交差せずに一方向に延びるように配列した多数の弾性フィラメントが、実質的に非伸長状態で、それらの全長にわたり伸長可能な不織布に接合されてなる伸縮シートが挙げられる。そのような伸縮シートとしては、例えば本出願人の先の出願に係る特開２００８−１７９１２８号公報に記載のもの等が挙げられる。
【００２１】
第１外層シート１２ａが少なくとも上腹部において伸縮性を有しているのに対して、第２外層シート１２ｂは伸縮性を有していてもよく、あるいは非伸縮性のものであってもよい。第２外層シート１２ｂが伸縮性を有する場合、該シート１２ｂとしては第１外層シート１２ａと同様のものを用いることができる。一方、第２外層シート１２ｂが非伸縮性のものである場合には、該シート１２ｂとして、例えば非伸縮性の不織布若しくは織布又は非伸縮性のフィルムを用いることができる。これら非伸縮性のシート材料は単層構造であってもよく、あるいは二層以上の多層構造であってもよい。
【００２２】
上述した外層シート１２に加え、おむつ１の外装体１１は内層シート１３も有している。内層シート１３は外層シート１２と吸収性本体１０との間に位置している。内層シート１３は吸収体４の縦方向Ｙの端縁４Ｗから縦方向Ｙ外方に延出している。内層シート１３は外装体１１の厚み方向Ｚにおいて、外層シート１２よりも内側（着用時に着用者の肌に近い側）に配されており、吸収体４の外縁を超えて吸収体４の縦方向Ｙ外方及び横方向Ｘ外方にわたって延在している。
【００２３】
おむつ１の外装体１１について詳述すると、外装体１１の外層シート１２はおむつ１の外表面を形成している。外装体１１の内層シート１３は、外層シート１２に隣接させて該外層シート１２の肌対向面側に配されている。外層シート１２及び内層シート１３はいずれも腹側部Ａ、股部Ｃ及び背側部Ｂにわたって存在している。横方向Ｘに関しては、外層シート１２と内層シート１３とは同形をしている。一方縦方向Ｙに関しては、外層シート１２と内層シート１３とは同形ではなく、外層シート１２は、図４に示す通り内層シート１３の縦方向Ｙの端縁から縦方向Ｙ外方に延出した延出部１２１を有している。この延出部は、図４に示す通りウエスト開口縁Ｗにおいて内面側（肌対向面側）に折り返されている。折り返された延出部１２１は、内層シート１３よりも肌対向側に配置されている補助シート１５の肌対向面を被覆している。補助シート１５の詳細については後述する。外装体１１は、図１に示す通り腹側部Ａにおける両側縁部と背側部Ｂにおける両側縁部とが互いに接合されており、その接合によって、図１に示す通りおむつ１に一対のサイドシール部Ｓ，Ｓ、ウエスト開口部５及び一対のレッグ開口部６，６が形成されている。ウエスト開口縁Ｗはウエスト開口部５の周縁である。外装体１１は、展開かつ伸長状態のおむつ１においては、図２に示す通り縦方向Ｙ中央域が横方向Ｘの内方に向けて括れた砂時計状の形状をしている。
【００２４】
おむつ１は、図２及び図４に示す通り吸収体４の縦方向Ｙの端縁４Ｗを覆う略矩形状の補助シート１５を備えている。補助シート１５は腹側部Ａと背側部Ｂ各々に一枚ずつ配されている。図４に示す通り、補助シート１５における縦方向Ｙの一方の端縁は内層シート１３の縦方向Ｙの端縁を超えてウエスト開口縁Ｗの位置まで達している。これに対して補助シート１５における縦方向Ｙの他方の端縁は、吸収体４の縦方向Ｙの端縁４Ｗを超えて該吸収性本体１の表面シート２上に延在している。したがっておむつ１の肌対向面は、外層シート１２の延出部１２１と、補助シート１５と、表面シート２とから構成されている。
【００２５】
おむつ１Ａの腹側部Ａは図２及び図４に示す通り、ウエスト開口縁Ｗを含むウエスト領域Ａ１と、該ウエスト領域Ａ１に隣接しかつ該ウエスト領域Ａ１よりも股部Ｃ側に位置する胴回り部Ａ２とを有している。つまりおむつ１における腹側部Ａは、ウエスト開口縁Ｗ側から股部Ｃ側に向かって順に、ウエスト領域Ａ１及び胴回り領域Ａ２を有している。なお図示していないが、おむつ１における背側部Ｂもウエスト開口縁Ｗ側から股部Ｃ側に向かって順に、ウエスト領域Ｂ１及び胴回り領域Ｂ２を有している。ウエスト領域Ａ１，Ｂ１はおむつ１の縦方向Ｙにおいて、ウエスト開口縁Ｗから内層シート１３の縦方向Ｙの端縁までの間にわたっている。一方胴回り領域Ａ２，Ｂ２はおむつ１の縦方向Ｙにおいて、内層シート１３の端縁から第１外層シート１２ａの下端縁までの間にわたっている。なお以下の説明においては、主としておむつ１の腹側部Ａにおけるウエスト領域Ａ１及び胴回り領域Ａ２の構成について図１ないし４を参照しつつ説明するが、背側部Ｂにおけるウエスト領域Ｂ１及び胴回り領域Ｂ２も同様の構成を有している。
【００２６】
ウエスト領域Ａ１はウエスト開口縁Ｗに沿っておむつ１の横方向Ｘに帯状に延びている。ウエスト領域Ａ１には糸状又は帯状の複数本（図示例は６本）のウエスト弾性部材５１がおむつ１の横方向Ｘに延びて横方向Ｘに伸長させた状態で外層シート１２の肌対向面に固定されている。ウエスト弾性部材５１の本数は、ウエスト領域Ａ１に３〜２０本配されていることが好ましく、より好ましくは５〜１５本である。図４に示す通り、ウエスト弾性部材５１は外装体１１の外層シート１２と補助シート１５との間に配されている。ウエスト弾性部材５１は、ウエスト領域Ａ１における外層シート１２及び／又は補助シート１５の略全面に塗布された接着剤（図示せず）を介してこれらのシート１２，１５に固定されている。ウエスト弾性部材５１はサイドシール部Ｓ，Ｓ間の全域にわたって配されている。おむつ１の着用状態においては、ウエスト弾性部材５１の収縮によって外層シート１２及び補助シート１５に多数の襞ないし凹凸が生じて、ウエストギャザーＧ１が形成される（図１参照）。
【００２７】
ウエスト領域Ａ１に隣接して位置している胴回り領域Ａ２も、おむつ１の横方向Ｘに帯状に延びている。図４に示す通り、胴回り領域Ａ２のうちおむつ１の縦方向Ｙにおいて、内層シート１３と外層シート１２とは、ウエスト開口部寄りの部分と吸収体４の端部４Ｗ側それぞれにおいて接合されており、その間においては両シートは非接合となされている。この領域を「上腹部領域Ａ２１」，（背側部Ｂでは「上背部領域Ｂ２１」）ともいう。より具体的には第１外層シート１２ａと内層シート１３とが非接合状態となっている。これとともに上腹部領域Ａ２１（以下、上背部領域Ｂ２１と併せて上胴部領域Ａ２１，Ｂ２１ともいう。）では上胴部弾性部材７１が、おむつ１の横方向Ｘに延びて横方向Ｘに伸長させた状態で横方向Ｘに延びて内層シート１３に固定されている。図４に示す通り、上胴部弾性部材７１は内層シート１３と補助シート１５との間に配置され、両シート固定されている。これに対して外層シート１２にはギャザー形成用の弾性部材は固定されていない。上胴部弾性部材７１の固定には、例えば接着剤（図示せず）が用いられる。上胴部弾性部材７１は糸状又は帯状のものが２〜１０本配されていることが好ましく、より好ましくは２〜５本である。おむつ１の着用状態においては、上胴部弾性部材７１の収縮によって内層シート１３及び補助シート１５に多数の襞ないし凹凸が生じて、内側ギャザー（図示せず）が形成される。内側ギャザーは内層シート１３と非接合状態になっている外層シート１２よりも内側に位置するので、該内側ギャザーはおむつ１の外表面から視認し難くなっている。その結果、該外層シート１２は下着様の外観を呈するようになる。また、上腹部領域Ａ２１において内層シート１３と非接合状態になっている外層シート１２は、図１に示す通り内側ギャザーの収縮によっておむつ１の外方へ向けて膨らんだ膨出部Ｒを有する形状になり、柔らかな印象を使用者に与え、下着様の外観との相乗効果で外観が一層良好なものになる。また、外観が大きすぎるという印象を与え難くなる。
【００２８】
外層シート１２と内層シート１３とが非接合状態となっている上腹部領域Ａ２１はサイドシール部Ｓ，Ｓ間の略全域にわたっている。本発明において「非接合状態」とは、上腹部領域Ａ２における左右のサイドシールＳ，Ｓ間の全面で、外層シート１２と内層シート１３とが非接合となっているものに限定されず、両シートが一部で接合されていても、実質的に内側シートのギャザーの影響を抑えられたものは排除せず、「非接合状態」に含まれる。上腹部領域Ａ２において、外層シート１２と内層シート１３とが非接合の領域は、サイドシール部Ｓ，Ｓ間の全面積（伸長状態）に対して８５％以上、特に９０％以上であることが好ましい。該領域の縦方向Ｙの長さＬ１は、おむつ１Ａの縦方向Ｙの全長Ｌ（図２参照）の１〜１２％、特に２〜９．５％であることが、おむつ外表面の広い範囲を柔軟で肌触りの良い領域とし、おむつを柔らかな印象を与えるものとする観点から好ましい。また、上腹部領域Ａ２１は、ウエスト開口部端からレッグ開口部端の間の長さ（すなわち、ウエスト領域Ａ１と胴回り部Ａ２のＹ方向長さの合計長さ）に対して５〜７０％、特に１０〜５０％のＹ方向長さを有することが、下着様で柔らかい外観を与える観点やズレ落ち抑制の観点や、胴回りをやさしくかつしっかりと抑える目的から好ましい。また、空気層を含み膨らんで見える領域が適度となるので、だぶついた印象を着用者らに与え難いとともに、伸縮性を備えていることを着用者に視覚的に与える効果も高くなる。
【００２９】
上腹部領域Ａ２１はおむつ１の着用状態において、着用者の腸骨稜から上前腸骨棘にかけての部位（以下、腸骨領域ともいう）に当接する部位に形成されていることが好適である。腸骨稜及び上前腸骨棘は解剖学の用語である。腸骨稜とは図５において１６で示される部位であり、上前腸骨棘とは同図において１７で示される部位である。着用者の腸骨稜から上前腸骨棘にかけての部位には一定の幅（おむつ縦方向Ｙにおける一定の長さに対応）がある。そのため、上腹部領域Ａ２１、特に上胴部弾性部材７１の配設領域もおむつ縦方向に所定の長さを有している。また、それにより上腹部領域Ａ２１を腸骨領域に当接させて、おむつ１のずれ落ちを効果的に防止することができる。
【００３０】
胴回り領域Ａ２，Ｂ２のうち、おむつ１の縦方向Ｙにおける上胴部領域Ａ２１の端部からレッグ開口部上端まで間の領域（以下、この領域を「下腹部領域Ａ２２」という。また背側部Ｂでは，「下背部領域Ｂ２２」ともいい、併せて下胴部領域Ａ２２，Ｂ２２ともいう。）では、第１外層シート１２ａと内層シート１３とは接着剤Ｈによって接合されている。また、下腹部領域Ａ２２においては内層シート１３と吸収性本体の裏面シート３とも接着剤（図示せず）によって接合されている。これらの各部材どうしの接合に用いられる接着剤は例えば全面ベタ塗りで塗工されるか、又はスパイラル状若しくはオーム字状のパターンで塗工される。
【００３１】
先に述べた通り、外装体１１には上胴部弾性部材７１が配されているところ、これに加えて外装体１１には、図１及び図２に示す通りレッグ部弾性部材６１が配されている。レッグ部弾性部材６１は横方向Ｘの両端部それぞれが腹側部Ａ及び背側部Ｂに位置し、レッグ開口部６の開口縁に沿って湾曲させて配されている。レッグ部弾性部材６１は外層シート１２と内層シート１３との間に伸長状態で配されている。レッグ部弾性部材６１はおむつ１の着用状態において、レッグ開口部６，６の開口縁に脚回りに沿って収縮するレッグギャザーを形成する。
【００３２】
以上の構成を有する本実施形態のおむつ１によれば、胴回り領域Ａ２のうち、上腹部領域Ａ２１においては外層シート１２（より具体的には第１外層シート１２ａ）と内層シート１３との間が非接合状態になっており、かつ上胴部弾性部材７１の収縮によって形成される内側ギャザー（図示せず）は外層シート１２よりも内側に位置するので、該内側ギャザーをおむつ１の外表面から視認し難く、その結果おむつ１はすっきりとした外観を呈するものとなる。また、内側ギャザーの収縮力に起因して、おむつ１はその装着状態においてずれ落ち等が効果的に防止される。その上、胴回り領域Ａ２を構成する第１外層シート１２ａは伸縮性を有しているので、内側ギャザーの伸縮が該第１外層シート１２ａによって阻害されにくい。また、内側ギャザーの伸長時に第１外層シート１２ａが柔らかく内層シート１３を押さえるので、着用者の身体へのおむつ１のフィット性が向上する。一方、下腹部領域Ａ２２においては伸縮性を有する第１外層シート１２ａの収縮作用が働くので、着用者の身体へのおむつ１のフィット性が一層向上する。外観的にも、おむつ１による締め付け作用が働いているとの印象を使用者に与えやすい。しかも下腹部領域Ａ２２にはレッグ弾性部材以外の弾性部材が配置されていないので、おむつ１の外観の印象が一層すっきりしたものとなる。その上、上腹部領域Ａ２１は適度に膨らみをもって、ウエスト弾性部材５１による若干の影響を受けて横方向に収縮しているので、大きすぎるという印象を着用者等に与え難く、また上腹部領域Ａ２１が伸縮性を有するという印象を使用者に与えることができる。
【００３３】
上述したおむつ１において、表面シート２、裏面シート３、吸収体４及び側方カフス８形成用シート等としては、使い捨ておむつ等の吸収性物品に従来用いられている各種のもの等を特に制限なく用いることができる。例えば、表面シート２としては、単層又は多層構造の不織布や開孔フィルム等を用いることができる。裏面シート３としては、樹脂フィルムや樹脂フィルムと不織布の積層体等を用いることができる。吸収体４としては、パルプ繊維等の繊維の集合体（不織布であっても良い）からなる吸収性コア又はこれに吸水性ポリマーの粒子を保持させてなる吸収性コアを、ティッシュペーパ等からなるコアラップシートで被覆したものを用いることができる。
【００３４】
また、内層シート１３及び補助シート１５としても、使い捨ておむつ等の吸収性物品に従来用いられている各種のシート材を特に制限なく用いることができるが、不織布を用いることが好ましい。不織布としては、エアスルー不織布、スパンボンド不織布、スパンレース不織布、メルトブローン不織布、ヒートロール不織布等の各種の不織布を単層で用いるか、又はこれらが２層以上に積層された積層不織布として用いることが好ましい。また、内層シート１３及び補助シート１５として、不織布とフィルムとを一体化したシート等を用いることもできる。更に、内層シート１３に関しては、伸長性を有する不織布を用いることが、第１外層シート１２ａの伸縮性を有効に発現させる点から好ましい。
【００３５】
弾性部材５１，６１，７１，８１の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは帯状（平ゴム等）のもの、又はマルチフィラメントタイプの糸状のもの等を好ましく用いることができる。弾性部材５１，６１，７１，８１の太さは、４７０〜１２４０ｄｔｅｘ、特に６２０〜９４０ｄｔｅｘとすることが好ましい。ウエスト弾性部材５１の配置間隔は、１〜１５ｍｍ、特に２〜１０ｍｍとすることが好ましい。上腹部弾性部材７１の配置間隔は、２〜４０ｍｍ、特に３〜３０ｍｍとすることが好ましい。
【００３６】
次に、本発明の第２及び３実施形態について、図６ないし図１１を参照しながら説明する。これらの実施形態については、第１実施形態と異なる点について説明し、特に説明しない点については第１実施形態に関して詳述した説明が適宜適用される。また図６ないし図１１において、図１ないし図４と同じ部材には同じ符号を付してある。
【００３７】
図６ないし図８に示す第２実施形態のおむつ１は上胴部弾性部材７１の配置状態が第１実施形態と相違している。詳細には、第１実施形態においては先に述べた図２に示す通り、上胴部弾性部材７１は一対のサイドシール部Ｓ，Ｓ間の全域にわたって横方向Ｘに延びていたのに対し、本実施形態においては図６及び図７に示す通り、上胴部弾性部材７１は吸収体４の左右の両側縁の仮想延長線ＬIよりも横方向Ｘの外方に配置されており、吸収体４の左右の両側縁の延長線ＬIを横切るようには配置されていない。換言すれば、図８に示す通り、吸収体４の左右の両側縁の延長線ＬI，ＬI間には上胴部弾性部材７１は実質的には配置されていない。「実質的」とは、おむつ１の製造条件の意図しない変動等の理由によって、一本又は複数本の上胴部弾性部材７１の端部が延長線ＬIを不可避的に跨いでしまう場合を許容する趣旨である。
【００３８】
上胴部弾性部材７１は、上述した配置状態になっている結果上腹部領域Ａ２１では着用者の腸骨稜から上前腸骨棘にかけての部位に当接する部位にのみ配置される。一方、上背部領域Ｂ２１では、サイドシールＳ，Ｓを挟んでこれと対称となるように上胴部弾性部材７１が配置されていることになる。上胴部領域Ａ２１，Ｂ２１を腸骨領域に効果的に当接させる観点から、上胴部領域Ａ２１，Ｂ２１に配した上胴部弾性部材７１の配設領域の長さＬ２（図７参照）は、成人用おむつにおいては１０〜８０ｍｍ、特に２０〜７０ｍｍであることが好ましく、幼児用おむつにおいては１０〜６０ｍｍ、特に１０〜５０ｍｍであることが好ましい。
【００３９】
本実施形態によれば、第１実施形態のおむつによって奏される効果に加え、第１実施形態で用いた上胴部弾性部材７１よりも少ない量の上胴部弾性部材７１であっても、上胴部領域Ａ２１，Ｂ２１を、腸骨領域に当接させることができ、おむつのずれ落ちを効果的に防止することができるという利点がある。
【００４０】
図９ないし図１１に示す第３実施形態のおむつ１はこれまでの実施形態のおむつと異なり、外装体は腹側部Ａ及び背側部Ｂに配置され、かつ股部Ｃには外装体が配置されていない。詳細には、外装体は腹側部Ａの外面を形成する腹側外装体１１Ａと背側部Ｂの外面を形成する背側外装体１１Ｂとを有している。腹側外装体１１Ａ及び背側外装体１１Ｂは、図１１に示す通り略矩形状である。そして、腹側外装体１１Ａの両側部と背側外装体１１Ｂの両側部とが接合されて、図１０に示す通り、一対のサイドシール部Ｓ，Ｓ、ウエスト開口部５及び一対のレッグ開口部６が形成されている。
【００４１】
図１１に示す通り、腹側外装体１１Ａは外層シート１２及び内層シート１３から構成されている。図示していないが、背側外装体１１Ｂも外層シート１２及び内層シート１３から構成されている。外層シート１２と内層シート１３とは略同形をしている。外層シート１２は伸縮性を有するが、内層シート１３は伸縮性のシート材料、非伸縮性のシート材料いずれから構成されていてもよい。内層シート１３における肌対向面側には、表面シート２、裏面シート３及び吸収体４を具備する吸収性本体１０の縦方向Ｙの端部が配置されている。
【００４２】
腹側外装体１１Ａ及び背側外装体１１Ｂは、ウエスト領域Ａ１，Ｂ１と、これに隣接する胴回り領域Ａ２，Ｂ２とを有している。ウエスト領域Ａ１，Ｂ１には、ウエスト弾性部材５１がそれぞれおむつ１の横方向Ｘに延びて横方向Ｘに伸長させた状態で二つ折りされたウエスト部形成シート５２の内側に固定されている。二つ折りされたウエスト部形成シート５２の２つの端部５２ａ，５２ｂのうち、一方の端部５２ａはその内面が腹側外装体１１Ａ及び背側外装体１１Ｂにおける外層シート１２の上端部の外面と接着剤によって接合されている。他方の端部５２ｂはその内面が、補助シート１５の上端部の外面と接着剤によって接合されている。この補助シート１５は略矩形状のものであり、吸収性本体１０の縦方向Ｙの端縁１０ｗを跨ぐように配置されている。補助シート１５の縦方向Ｙの端縁のうち一方の端縁は、腹側外装体１１Ａ及び背側外装体１１Ｂの縦方向Ｙの端縁と略同位置に位置している。補助シート１５の他方の端縁は、吸収性本体１０の端縁１０ｗを超えて表面シート２上に延在している。
【００４３】
腹側部Ａのウエスト領域Ａ１に隣接して位置している胴回り領域Ａ２は、図１１に示す通り、上腹部領域Ａ２１とこれに隣接する下腹部領域Ａ２２とを有する。図示していないが、背側部Ｂの胴回り領域Ｂ２も上腹部領域Ｂ２１とこれに隣接する下腹部領域Ｂ２２とを有する。上腹部領域Ａ２１，Ｂ２１では外層シート１２と内層シート１３とが非接合状態となっている。これとともに上腹部領域Ａ２１，Ｂ２１では、糸状又は帯状の上腹部弾性部材７１がおむつ１の横方向Ｘに延びて横方向Ｘに伸長させた状態で横方向Ｘに延びて内層シート１３に固定されている。上腹部弾性部材７１は内層シート１３と補助シート１５との間に配置されており、内層シート１３だけでなく、補助シート１５にも固定されている。
【００４４】
上腹部領域Ａ２１，Ｂ２１に隣接する下腹部領域Ａ２２，Ｂ２２では、外層シート１２と内層シート１３とが接着剤Ｈによって接合されている。また、下腹部領域Ａ２２，Ｂ２２においては、内層シート１３と吸収性本体の裏面シート３とも接着剤（図示せず）によって接合されている。
【００４５】
本実施形態においてもこれまでの実施形態と同様の効果が奏される。これに加えて股部Ｃには外装体が配置されておらず、しかも伸縮シートからなる外層シート１２は伸縮性が必要な最小限の部位にのみ配置されているので、使用する部材の量を低減できるという有利な効果が奏される。
【００４６】
以上、本発明をその好ましい実施形態に基づき説明したが、本発明は前記実施形態に制限されない。例えば第１及び第２実施形態における外層シート１２として、図１２（ａ）に示すものを用いることができる。同図に示す外層シート１２は、第１外層シート１２ａ、第２外層シート１２ｂ及び第３外層シート１２ｃを有している。第１外層シート１２ａは、腹側部Ａ及び背側部Ｂにおける胴回り領域Ａ２，Ｂ２に対応する部位に配置されている。第２外層シート１２ｂは、股部Ｃに対応する部位に配置されている。第３外層シート１２ｃは、腹側部Ａ及び背側部Ｂにおけるウエスト領域Ａ１，Ｂ１に対応する部位に配置されている。これら各シート１２ａ，１２ｂ，１２ｃのうち、第１外層シート１２ａが伸縮性を有している。第２外層シート１２ｂ及び第３外層シート１２ｃは、非伸縮性シートからなる。本実施形態によれば、第１及び第２の実施形態よりも、伸縮性を有する第１外層シート１２ａの使用量を一層低減させることができる。
【００４７】
また、第３実施形態においては、図１２（ｂ）に示す通り、腹側外装体１１Ａ及び背側外装体１１Ｂとして、その外面の全域が伸縮性を有する外層シート１２から構成されていてもよい。なお、図１２（ｂ）はおむつ１を伸長させて拡げた状態を裏面シート側から見た展開平面図である。
【００４８】
更に、上述した各実施形態においては、腹側部Ａ及び背側部Ｂの双方が上腹部領域Ａ２１，Ｂ２１において外層シート１２と内層シート１３とが非接合であり、かつ内層シート１３に上腹部弾性部材７１が固定されていたが、この構成は少なくとも腹側部Ａにおいて満足していればよく、背側部Ｂに関しては腹側部Ａと異なる構成を採用してもよい。また、伸縮性を有する第１外層シート１２ａは少なくとも腹側部Ａに配置されていればよい。なお背側部Ｂの外層シート１２表面に廃棄用のファスニングテープを配置する場合、両部材の固定を確実なものとするために当該部分において外層シート１２と内層シート１４を接合することが出来る。この場合には、背側部Ｂにおいて、接合部分の総面積が上背部領域Ｂ２の面積に対して２０％以下、特に１５％以下とすることが好ましい。
【００４９】
また前記実施形態は、本発明をパンツ型使い捨ておむつに適用した例であるが、本発明はこれ以外の吸収性物品、例えばショーツ型生理用ナプキン等にも同様に適用できる。
【符号の説明】
【００５０】
１  パンツ型の使い捨ておむつ（パンツ型吸収性物品）
２  表面シート
３  裏面シート
４  吸収体
５  ウエスト開口部
６  レッグ開口部
１０  吸収性本体
１１  外装体
１２  外層シート
１２ａ  第１外層シート
１２ｂ  第２外層シート
１２ｃ  第３外層シート
１２１  外層シートの延出部
１３  内層シート
１５  補助シート
７１  上腹部弾性部材（上胴部弾性部材）
Ａ  腹側部
Ｂ  背側部
Ｃ  股部
Ａ１，Ｂ１  ウエスト領域
Ａ２，Ｂ２  胴回り領域
Ａ２１，Ｂ２１  上腹部領域（上胴部領域）
Ａ２２，Ｂ２２  下腹部領域（下胴部領域）
【図１】
0005940838.tif 000002
【図２】
0005940838.tif 000003
【図３】
0005940838.tif 000004
【図４】
0005940838.tif 000005
【図５】
0005940838.tif 000006
【図６】
0005940838.tif 000007
【図７】
0005940838.tif 000008
【図８】
0005940838.tif 000009
【図９】
0005940838.tif 000010
【図１０】
0005940838.tif 000011
【図１１】
0005940838.tif 000012
【図１２】
0005940838.tif 000013